(57)【要約】 【課題】  屋外、屋内を問わずペット類の糞尿が地面、床、カーペット等に落下する前に手で直接触れることなく衛生的で簡単に袋に糞尿を受け取って処理することができ、子供にも大人にもお年寄りにも使いやすくコンパクトになる簡素な造りで軽量のため持ち運びが楽であるペット用糞尿受け取り器を提供することを目的とする。【解決手段】  本糞尿受け取り器は大円形状枠１と小円形状枠２と持ち柄３とをネジ穴a 、ネジ穴b、ネジ穴dを止めつけたもので構成する。本糞尿受け取り器のつまみ４を持ちながら、大円形状枠１と小円形状枠２の間を広げ小円形状枠２の内側から市販の袋を取り付け大円形状枠１を重ねて袋を固定し持ち柄３をもちながら角度を調節してから重ねた円形状枠部分図５をペット類のお尻に近づけ使用者が屈むことなく糞尿を衛生的に受け取ることができるようにした。【選択図】  図１
0003113380.tif 000002
【実用新案登録請求の範囲】
【請求項１】
大円形状枠１と小円形状枠２のそれぞれの継ぎ目部分にネジ穴を設け
一方伸縮できる持ち柄３の下部にネジ穴を設けこれらのネジ穴を１つのネジで留めたことを特徴とするペット類糞尿受け取り器。 
【請求項２】
つまみ４を持ち、大円形状枠１と小円形状枠２を開けて小円形状枠２の円の内側に袋の口の部分を通し、袋の口の部分を広げて折り返し、袋を固定するために大円形状枠１を小円形状枠２とを重ねることを特徴とするペット類糞尿受け取り器。
【請求項３】
ネジ６にネジを通すことにより、持ち柄３の斜めになる角度を安定させることが出来ることを特徴とするペット類糞尿受け取り器。
【請求項４】
小円形状枠２上部アには山の部分に丸みのあるギザギザカットを施すことにより、糞尿を受け止めた衝撃で取り付けた袋の落下を防止する作用を持つことを特徴とするペット類糞尿受け取り器。
【請求項５】
つまみ４の位置が識別しやすいように色をつけたり、つまみ４を摘んだときの指の滑り止め防止を担うことができる形にしたり凹凸をつけたりすることを特徴とするペット類糞尿受け取り器。
【考案の詳細な説明】
【技術分野】
【０００１】
本糞尿受け取り器具は、子供も大人もペット類の糞尿を屈まずに直接手で触れることなく衛生的に受け取ることができ簡単に処理が出来るペット類の糞尿受け取り器である。
【背景技術】
【０００２】
従来のペット類糞尿習得方法は直接手で袋や紙などを使い、地面、床に落下したものを習得していた。
また、散歩の際は地面で習得するため不衛生さやかがんで習得することのめんどくささや恥ずかしさを嫌い糞尿が放置された状態もよく見受けられる。
また、現在市販されている糞採集器は仕組みが複雑なものもあり袋を取り付けるのが面倒であったり、また器具専用の別売り袋の購入が必要な器具であったりで経済的にも糞処理に経済的負担がかかるのが現状である。
また、ペットの多種多様化の中、犬対象の採集器具が多いのが現状である。
【考案の開示】
【考案が解決しようとする課題】
【０００３】
本糞尿受け取り器具の課題として、持ち柄３の伸縮自在で柄の角度をネジ６の支えで安定的に保つことにより子供から大人、お年寄りまでかがんで至近距離で糞尿を受け取ることなく、立ったままでペット類の糞尿を衛生的で簡単に受け取り、処理することができることを課題とする。
また、家の中や公共道路、公園、草むらなど凹凸のある不安定な場所にも簡単に糞尿を採取することができ屋外、屋内場所を問わず、衛生的な場所を保つ役割を担う一器具ということを課題とする。
【課題を解決するための手段】
【０００４】
上記課題を解決するために本考案のペット類糞尿受け取り器は大円形状枠１と小円形状枠２のそれぞれの継ぎ目部分にネジ穴を設け、一方伸縮できる持ち柄３の下部にネジ穴を設けこれらのネジ穴を１つのネジで留めた構成とした。
【０００５】
つまみ４を持ち、大円形状枠１と小円形状枠２を開けて、小円形状枠２の円の内側に袋の口の部分を通し、袋の口の部分を広げて折り返し、袋を固定するために大円形状枠１を小円形状枠２とを重ねることを特徴とする。
【０００６】
ネジ６にネジを通すことにより、持ち柄３の斜めになる角度を安定させることが出来ることを特徴とする。
【０００７】
小円形状枠２上部アの山の部分に丸みのあるギザギザカットを施すことにより、糞尿を受け止めた衝撃で取り付けた袋の落下を防止する作用を持つことを特徴とする。
【０００８】
夜に屋外で本器具使用の際に袋の取り付け取り外しがスムーズに行えるようにつまみ４の位置が判別しやすい色や形にしたり、また屋外の雨の日の濡れた指でも摘みやすいように
滑り止め役目を担う形や凹凸がつまみ４に施されていることを特徴とする。
【０００９】
屋外で雨の日でも本器具が持ちやすいように持ち柄３の上部分の形や素材を、使用者の使いやすさに合わせて変えることが出来ることを特徴とする。
【考案の効果】
【００１０】
本ペット用糞尿受け取り器は、屋外、屋内を問わずペットの糞尿が地面、床、カーペット等に 落下する前に手で直接触れることなく衛生的で簡単に袋に受け取り処理することができ、そして使用方法が簡単なため子供にも大人にもお年寄りにも使いやすく図６のように折りたためるため、コンパクトで簡素な造りのため軽量で持ち運びが楽である。
【００１１】
また、糞尿で器具の円形状枠部分が汚れるのを防止する策として図５のように枠に袋を取り付けたあと袋の内側を摘んで枠に添って袋を大円形状枠１に覆うことにより糞尿の汚れから本器具を守ることができるため洗う手間を省くことが出来る。
【００１２】
また、糞尿の受け取り後の糞尿と袋の処理は使用者のゴミ処理方法が異なるため取り付ける袋は枠のサイズに合えば大きさ、素材を問わず取り付け可能な器具である。
紙、新聞を袋状に折ったものでも使用者の処理方法に合った袋を選んで器具に挟む事が可能である。
【００１３】
また図７のように袋７を取り付けたあとに何層かに折りたたんだトイレットペーパーを乗せて枠内に添って軽くくぼみをつけておくと、糞尿がトイレットペーパーの上に乗った状態で袋７の中で包まれた状態で入るため、そのあとは袋をひっくり返してトイレにトイレットペーパーと糞あるいは尿を一緒に流して処理することが可能である。
屋外使用で風があるときはトイレットペーパーを袋７と一緒に大円形状枠１と小円形状枠２との間に挟んで使用することが可能である。
【考案を実施するための最良の形態】
【００１４】
以下、添付図面により更に本考案の具体的な態様を説明すると本糞尿受け取り器具は図２のようにアルミ、ステンレス、プラスチック、紙、木等の素材を用いた大円形状枠１の直径５ｃｍ〜２５ｃｍＡ、幅３ｍｍ〜３ｃｍイと小円形状枠２の直径４．９ｃｍ〜２４．５ｃｍＢ、幅３ｍｍ〜３ｃｍロと５ｃｍ〜１５０ｃｍハに収縮できる持ち柄３を、ａｂｄのネジ穴にネジを通し１箇所で留めて形成したものである。
【００１５】
次にその使用の態様を説明すると図１のつまみ４を持ち、大円形状枠１と小円形状枠２を開けて小円形状枠２の円の内側に袋の口の部分を通し、袋の口の部分を広げて折り返し、袋を固定するために大円形状枠１を小円形状枠２とを重ねる構造となる。袋を取り付けた状態が図５となる。
【００１６】
図１のようにネジ６にネジを通すことにより、持ち柄３の斜めになる角度を安定させることが出来る構造となる。
【００１７】
図３小円形状枠２の上部アに山の部分に丸みのあるギザギザカットを施すことにより、糞尿を受け止めた衝撃で取り付けた袋の落下を防止する作用を持つ構造である。
折りたたむと図６の形となりコンパクトな状態となるため持ち運びに便利である。
【００１８】
また糞尿で器具の円形状枠部分が汚れることの防止策として図５のように枠に袋を取り付けたあと袋の内側を摘んで枠に添って袋で大円形状枠１を少し覆うことにより、糞尿の汚れから器具を守ることが出来る。
【００１９】
請求項１の大きさ、構造を持つことで使用する人の身長、ペットの大きさ等に合わせて枠の大きさを希望のサイズにネジ５を外して簡単に組み替えることができる。
【００２０】
請求項２では、ペットが糞尿を突然もようした際に枠に袋の取り付けをしていない時にもつまみ４を付けることで瞬時に大円形状枠１と小円形状枠２の枠を開けて袋をスムーズに取り付けられるようにした。
またつまみ４をつけることで小さな子供の手でも枠の開閉が簡単に出来る。
【００２１】
請求項３では地面、床等とペットのお尻の近距離間で宙に浮いた状態で糞尿を受け取ることが困難な場合は地面、床等に袋を取り付けた状態の枠図５を押し付けてネジ６の支えにより柄の角度を保ちながらかがまずに糞尿を受け取ることが出来る。
【００２２】
請求項４ではギザギザカットアを施すことで糞尿を受け取った時の衝撃で袋７の落下やズレを防止することが出来る構造である。
子供も使用することを考慮に入れてギザギザの山の部分は丸みをつけることを前提としている。
【００２３】
請求項５では屋外で夜に本器具を使用する際、袋の取り付け取り外しがスムーズに行えるようにつまみ４の部分の位置を判りやすくするために色をつけたり形を変えたり凸凹をつけることが出来る。
また形を変えたり凸凹をつまみ４につけることで、滑り止めとしての効果も備わるため雨の日の屋外使用時でもつまみ４の部分が滑りにくく摘みやすくなる。
【００２４】
また、屋外での雨の日の使用も考慮して持ち柄３の上部分を使用者の使いやすさにあわせて形や素材を変えることにより本器具が手から滑りにくくなり持ちやすく使いやすくすることが可能である。
【図面の簡単な説明】
【００２５】
【図１】小円形状枠２に袋を通して折り返した状態の斜視図
【図２】器具の組み合わせる前のパーツの斜視図
【図３】大円形状枠１，小円形状枠２を枠にする前の平面図
【図４】器具の大円形状枠１、小円形状枠２が重なった状態の断面図
【図５】器具に袋を取り付けた状態の斜視図
【図６】器具を折りたたんだ状態の側面図
【図７】器具に袋を取り付けその上に何層かに折りたたんだトイレットペーパーを重ねた斜視図
【符号の説明】
【００２６】
１ 大円形状枠
２ 小円形状枠
３ 持ち柄
４ つまみ
５ ネジ（１，２，３を留め合せる）
６ ネジ（３の角度を保つため）
７ 袋
８  トイレットペーパー
イ  大円形状枠幅
ロ  小円形状枠幅
ハ 伸縮可能な柄
Ａ 大円形状枠半径 
Ｂ 小円形状枠半径
ａ 大円形状枠ネジ穴（bdと一緒に留める）
ｂ 小円形状枠ネジ穴（adと一緒に留める）
ｃ 小円形状枠ネジ穴
ｄ 持ち柄ネジ穴（abと一緒に留める）
ア ギザギザカット（山の部分に丸みあり）
【図１】
0003113380.tif 000003
【図２】
0003113380.tif 000004
【図３】
0003113380.tif 000005
【図４】
0003113380.tif 000006
【図５】
0003113380.tif 000007
【図６】
0003113380.tif 000008
【図７】
0003113380.tif 000009
【手続補正書】
【提出日】平成17年6月21日(2005.6.21)
【手続補正１】
【補正対象書類名】実用新案登録請求の範囲
【補正対象項目名】全文
【補正方法】変更
【補正の内容】
【実用新案登録請求の範囲】
【請求項１】
大円形状枠１と小円形状枠２のそれぞれの継ぎ目部分にネジ穴を設け一方伸縮できる持ち柄３の下部にネジ穴を設けこれらのネジ穴を１つのネジで留めたことを特徴とするペット類糞尿受け取り器。 
【請求項２】
請求項１記載のペット類糞尿受け取り器において大円形状枠１と小円形状枠２のそれぞれの外側につまみ４を設け、そのつまみ４を持ち、大円形状枠１と小円形状枠２を開けて小円形状枠２の円の内側に袋の口の部分を通し、袋の口の部分を広げて折り返し、袋を固定するために大円形状枠１を小円形状枠２とを重ねることを特徴とする請求項１記載のペット類糞尿受け取り器。
【請求項３】
ネジ６にネジを通すことにより、持ち柄３の斜めになる角度を安定させることが出来ることを特徴とする請求項１または請求項２記載のペット類糞尿受け取り器。
【請求項４】
小円形状枠２上部アの山の部分に丸みのあるギザギザカットを施すことにより、糞尿を受け止めた衝撃で取り付けた袋の落下を防止する作用を持つことを特徴とする請求項１，請求項２または請求項３記載のペット類糞尿受け取り器。
【請求項５】
つまみ４の位置が識別しやすいように色をつけたり、つまみ４を摘んだときの指の滑り止め防止を担うことができる形にしたり凹凸をつけたりすることを特徴とする請求項２、請求項３または請求項４記載のペット類糞尿受け取り器。